(57)【要約】【課題】草の巻き付きをより確実に防止する草刈機用補助刃を提供する。【解決手段】主竿の先端に設けられた草刈刃の上面に取り付けられ、その草刈刃と一体に回転する草刈機用補助刃において、補助刃は、草刈刃の上面に配置するベース板１９と、そのベース板１９から斜め外側上方に傾斜角度をもって突出し、回転方向の前縁部に切り刃２１を有する複数の刃板片２０とからなり、その複数の刃板片２０は傾斜角度の異なる組み合わせからなる。【選択図】図２
0003140635.tif 000002
【実用新案登録請求の範囲】
【請求項１】
主竿（３）の先端に設けられた草刈刃（９）の上面（１０）に取り付けられ、その草刈刃（９）と一体に回転する草刈機用補助刃において、
前記補助刃は、草刈刃（９）の上面（１０）に配置するベース板（１９）と、そのベース板（１９）から斜め外側上方に傾斜角度をもって突出し、回転方向の前縁部に切り刃（２１）を有する複数の刃板片（２０）とからなり、その複数の刃板片（２０）は傾斜角度の異なる組み合わせからなることを特徴とする草刈機用補助刃。
【請求項２】
前記ベース板（１９）の外周に、前記複数の刃板片（２０）が周方向に等間隔の配置で設けられ、その隣り合う刃板片（２０）の前記傾斜角度が互いに異なっていることを特徴とする請求項１に記載の草刈機用補助刃。
【考案の詳細な説明】
【技術分野】
【０００１】
この考案は、草刈機における草の巻き付きを防止する草刈機用補助刃に関する。
【背景技術】
【０００２】
一般に手持ち式の草刈機は、図３に示すように、主竿３０の先端にギアケース３１が設けられ、主竿３０の後端には、動力原となるエンジン３２が設けられている。ギアケース３１には、エンジン３２の出力が伝えられる刈刃軸（図示省略）が下方に突出した状態で収納されており、その刈刃軸の端部には、刈刃軸と一体に回転する草刈刃３３が設けられている。これにより、エンジン３２で刈刃軸を駆動すると草刈刃３３が回転して、草を刈ることができる。
【０００３】
ところで、草刈刃３３とギアケース３１の接触を避けるために、草刈刃３３とギアケース３１の間には間隙が形成されており、その間隙部分で刈刃軸が露出している。そのため、草刈刃３３により切断された草や未切断の草が草刈刃３３の上面３４に載って、前記間隙に入り込んでしまい、その結果刈刃軸に巻き付いてしまうことがあった。このようになると、その巻き付きが激しい場合には草刈刃３３が停止することがあるので、巻き付いた草を取り払う必要があるが、このような作業は煩雑である。
【０００４】
そこで、この草の巻き付きを防止するために、草刈機には、図３に示すように、草刈刃３３と一体に回転する草刈機用補助刃３５を草刈刃３３の上面３４に取り付けることが行なわれている。この従来の草刈機用補助刃３５は、平面視長方形の刃板３６と、その短辺から一定角度だけ曲げ起こされた一対の羽根片３７，３８とを有し、その両羽根片３７，３８における回転方向の前縁部が刃先として加工されている（特許文献１）。これにより、草が草刈刃３３の上面３４に載って前記間隙に入り込む前に、草刈機用補助刃３５で草を切断して短くすることができるので、草が前記間隙に入り込んで刈刃軸に巻き付くのを防止することができる。
【特許文献１】意匠登録第９３７５７５号公報
【考案の開示】
【考案が解決しようとする課題】
【０００５】
しかし、上記草刈機用補助刃３５は、刃板３６の中心から等しい距離の位置に設けられ、しかも、両羽根片３７，３８の曲げ起こされた角度が同一になっているので、刃板３６は同一の回転軌跡で草を切断することになり、巻き付こうとする草の同一部分を切断するだけである。そのため、草刈機用補助刃３５で草を切断した後、その草をそれ以上短く切断することが困難であり、草を切断した後も草が長いときには、そのまま前記間隙に入り込んで、刈刃軸に巻き付いてしまうことがあった。
【０００６】
そこで、この考案は、草の巻き付きをより確実に防止する草刈機用補助刃を提供することを課題とする。
【課題を解決するための手段】
【０００７】
上記課題を防止するために、この考案は、主竿の先端に設けられた草刈刃の上面に取り付けられ、その草刈刃と一体に回転する草刈機用補助刃において、前記補助刃は、草刈刃の上面に配置するベース板と、そのベース板から斜め外側上方に傾斜角度をもって突出し、回転方向の前縁部に切り刃を有する複数の刃板片とからなり、その複数の刃板片は傾斜角度の異なる組み合わせからなるようにしたのである。
【０００８】
このようにすると、傾斜角度の異なる刃板片の複数の回転軌跡で草を切断することができるので、先行の刃板片で切り残した草を後続の刃板片が切断することになり、刃板片の傾斜角度が全て同一である草刈機用補助刃と比べて、草を短く切断することができる。そのため、この草刈機用補助刃を草刈刃の上面に取り付ければ、草刈機用補助刃で切断された草が前記間隙に入り込んで、刈刃軸に巻き付くことをより確実に防止することができる。
【０００９】
この構成において、前記ベース板の外周に、前記複数の刃板片が周方向に等間隔の配置で設けられ、その隣り合う刃板片の前記傾斜角度が互いに異なっているようにすることができる。
このように、隣り合う刃板片の傾斜角度が互いに異なるようにすると、隣り合う刃板片の傾斜角度が同一部分を含んでいる草刈機用補助刃と比べて切断箇所が多いので、確実に草を切断することができる。
【考案の効果】
【００１０】
以上のように、この考案によれば、傾斜角度の異なる刃板片の複数の回転軌跡で草を切断することができるので、先行の刃板片で切り残した草を後続の刃板片が切断することになり、刃板片の傾斜角度が全て同一である草刈機用補助刃と比べて、草を短く切断することができる。そのため、この草刈機用補助刃を草刈刃の上面に取り付ければ、草刈機用補助刃で切断された草が、刈刃軸に巻き付くことをより確実に防止することができる。
【考案を実施するための最良の形態】
【００１１】
この考案の実施の形態を、図面を参照しながら説明する。図１は、この考案の実施形態の草刈機用補助刃１を組み込んだ草刈機２の要部を示す縦断面図であり、図１に示すように、草刈機２は、中空状の主竿３の先端に、軸受４により支えられた刈刃軸５を下方に突出した状態で収納したギアケース６が設けられ、主竿３の後端には、動力原となるエンジン（図示せず）が設けられている。
【００１２】
エンジンの動力は、主竿３内を貫通した伝導軸（図示省略）からギアケース６内のギア（図示省略）を介して刈刃軸５に伝えられる。刈刃軸５のギアケース６の下方に突出した部分は、上下一対の割り型ボス７，８が遊嵌され、そのボス７，８の間に、草刈刃９と、その草刈刃９の上面１０に配置された補助刃１とが刈刃軸５にねじ込んだボルト１１で締め付けられて挟持されている。つまり、草刈刃９と補助刃１は、その中心部に取付け孔１２，１３が開口されており、その周辺がボス７，８によって挟持されることで刈刃軸５に固定され、これにより、エンジンを作動させると草刈刃９と補助刃１が一体に回転する。
【００１３】
草刈刃９の下方には、下側ボス８とボルト１１の間に挟持されて、草刈刃９と一体に回転する安定接地板１４が設けられ、これにより、草刈刃９を接地しない浮上状態に保っている。草刈刃９の上方には、上側ボス７を包囲する椀型のカバースカート１５が、ギアケース６の張り出し部１６に下方からビス１７などによって固定されており、その下端部１８が草刈刃９の上面１０に接近することによって、草の侵入を防止している。
【００１４】
補助刃１は、図２（ａ）に示すように、一枚の金属板を用い、その中心部に取付け孔１３を形成した略円板状のベース板１９と、そのベース板１９の外周から斜め外側上方に傾斜角度をもって突出する複数の刃板片２０とで形成されている。刃板片２０は、図２（ａ）、（ｄ）に示すように、その回転方向の前縁部を傾斜させることにより切り刃２１が形成されている。
【００１５】
複数の刃板片２０は、図２（ｂ）、（ｃ）に示すように、異なる突出長さと傾斜角度を持った二種類の刃板片２０ａ，２０ｂを有しており、例えば、刃板片２０ａは、その突出長さが１８ミリ前後、傾斜角度が２０°前後であり、刃板片２０ｂは、その突出長さが１３ミリ前後、傾斜角度が４０°前後である。また、刃板片２０ａ，２０ｂは、ベース板１９の外周に等間隔の配置で隣り合うように交互に設けられている。そのため、隣り合う刃板片２０ａ，２０ｂ同士の傾斜角度が同一の場合に比べて切断箇所が多くなり、確実に草を切断することができる。
【００１６】
この草刈機用補助刃１は、刃板片２０ａ，２０ｂは、異なる回転軌跡で草を切断することができるので、先行の刃板片で切り残した草を後続の刃板片が切断することになり、草を短く切断することができる。そのため、この草刈機用補助刃１を草刈刃９の上面に配置すれば、草刈機用補助刃１で切断された草が、刈刃軸５に巻き付くことをより確実に防止することができる。
【００１７】
上記実施形態では、傾斜角度の異なる二種類の刃板片２０ａ，２０ｂをベース板１９に設けたが、傾斜角度の異なる刃板片を三種類以上ベース板１９に設けてもよい。この場合、刃板片の三つ以上の異なる回転軌跡で草を切断するので、さらに短く切断することができる。また、刃板片の数は自由に増減できる。
【図面の簡単な説明】
【００１８】
【図１】この考案に係る草刈機用補助刃を組み込んだ草刈機の要部を示す縦断面図
【図２】この考案に係る草刈機用補助刃を示す図であり、（ａ）は草刈機用補助刃を示す平面図、（ｂ）は（ａ）に示す草刈機用補助刃のｂ−ｂ線に沿った断面図、（ｃ）は（ａ）に示す草刈機用補助刃のｃ−ｃ線に沿った断面図、（ｄ）は（ａ）に示す草刈機用補助刃のｄ−ｄ線に沿った拡大断面図
【図３】従来の草刈機を示す斜視図
【符号の説明】
【００１９】
３        主竿
９        草刈刃
１０      上面
１９      ベース板
２０      刃板片
２１      切り刃
【図１】
0003140635.tif 000003
【図２】
0003140635.tif 000004
【図３】
0003140635.tif 000005